(57)【特許請求の範囲】
【請求項１】
環境情報を測定する測定装置と、前記測定装置から測定値を受信する管理サーバとを有する環境情報取得システムにおいて、
前記測定装置は、
第１の端末から、前記第１の端末を識別する識別情報を受信した場合に、前記管理サーバに前記識別情報を送信する送信部と、
前記識別情報を受信した前記管理サーバから、環境情報の測定要求を受信した場合に、前記環境情報を測定して前記管理サーバに送信する測定部とを有し、
前記管理サーバは、
前記識別情報と、測定対象である環境情報の種別とを対応付けて記憶する対象記憶部と、
前記測定装置から前記識別情報を受信した場合に、前記識別情報と対応付けられる前記種別の環境情報の測定要求を前記測定装置に送信する要求部と、
前記測定装置から受信した測定結果を第２の端末に提供する提供部と
を有することを特徴とする環境情報取得システム。
【請求項２】
前記管理サーバが、
前記測定装置を識別する装置情報と、前記測定装置が測定する少なくとも１つの環境情報とを対応付けて記憶する装置記憶部をさらに有し、
前記測定装置の送信部は、前記識別情報とともに前記装置情報を送信し、
前記管理サーバの前記要求部は、前記識別情報に対応付けられる前記環境情報のうち、前記装置情報に対応付けられる環境情報の測定要求を前記測定装置に送信する
ことを特徴とする請求項１に記載の環境情報取得システム。
【請求項３】
前記管理サーバの前記提供部は、前記測定装置から測定結果を受信した受信回数を計数し、
前記管理サーバの前記送信部は、前記受信回数が所定値以下である場合に、前記測定要求を前記測定装置に送信する
ことを特徴とする請求項２に記載の環境情報取得システム。
【請求項４】
前記管理サーバの前記要求部は、前記環境情報を測定する際の測定条件を前記測定要求にさらに含めて送信し、
前記測定装置の前記測定部は、前記測定条件を満たす場合に、前記環境情報を測定して前記管理サーバに送信し、前記測定条件を満たさない場合に、前記環境情報が測定できないことを示す測定不可メッセージを前記管理サーバに送信することを特徴とする請求項１に記載の環境情報取得システム。
【請求項５】
第１の端末を識別する識別情報と、測定対象である環境情報の種別とを対応付けて記憶する対象記憶部と、
測定装置から前記識別情報を受信した場合に、前記識別情報と対応付けられる前記種別の環境情報の測定要求を前記測定装置に送信する要求部と、
前記測定装置から受信した測定結果を第２の端末に提供する提供部と
を有することを特徴とする管理サーバ。
【請求項６】
環境情報を測定する測定装置と、前記測定装置から測定値を受信する管理サーバとが実行する環境情報取得方法において
前記測定装置が、
第１の端末から、前記第１の端末を識別する識別情報を受信した場合に、前記管理サーバに前記識別情報を送信し、
前記識別情報を受信した前記管理サーバから、環境情報の測定要求を受信した場合に、前記環境情報を測定して前記管理サーバに送信する処理を含み、
前記管理サーバが、
前記識別情報と、測定対象である環境情報の種別とを対応付けて記憶し、
前記測定装置から前記識別情報を受信した場合に、前記識別情報と対応付けられる前記種別の環境情報の測定要求を前記測定装置に送信し、
前記測定装置から受信した測定結果を第２の端末に提供する処理を含む
ことを特徴とする環境情報取得方法。
【発明の詳細な説明】
【技術分野】
【０００１】
本発明は、環境情報取得システム、測定装置、管理サーバ及び環境情報取得方法に関する。
【背景技術】
【０００２】
例えば、徘徊する高齢者や、犯罪から保護したい子供等の被保護者を監視するために、識別情報を発信するビーコン機器を被保護者に持参させ、被保護者の位置情報を特定する技術が知られている。このような技術においては、ビーコン機器から識別情報を受信した通信端末が、当該識別情報に位置情報を付与してサーバに送信する。これにより、サーバから通知を受けた保護者は、被保護者の位置情報を把握する。
【先行技術文献】
【特許文献】
【０００３】
【特許文献１】特開２００２−２７１８３５号公報
【特許文献２】特開平１０−２７１５５５号公報
【特許文献３】特開平６−２０４９３９号公報
【発明の概要】
【発明が解決しようとする課題】
【０００４】
しかしながら、上記技術では、位置情報しか送信されないため、被保護者周辺の環境の状況までは把握できない。
【０００５】
例えば、被保護者の位置情報ではなく、遠隔地にいる被保護者がどのような環境で活動しているかを、保護者が監視したい場合がある。例えば、熱中症のおそれがある場合や、諸外国の工業地帯などで、大気汚染が深刻な問題となっている場合などである。
【０００６】
なお、被保護者に、温度計や浮遊粒子計測機器などの計測機器を持参させる方法も考えられるが、計測機器導入のコストやバッテリーの稼働時間等の問題があり、把握したい情報全てを継続的に計測することは難しい。
【０００７】
一つの側面では、被保護者周辺の環境情報を提供することができる環境情報取得システム、測定装置、管理サーバ及び環境情報取得方法を提供することを目的とする。
【課題を解決するための手段】
【０００８】
一つの案では、本願の開示する環境情報取得システムは、測定装置と、管理サーバとを含む。測定装置は、第１の端末から、第１の端末を識別する識別情報を受信した場合に、管理サーバに識別情報を送信する送信部と、識別情報を受信した管理サーバから、環境情報の測定要求を受信した場合に、環境情報を測定して管理サーバに送信する測定部とを有する。管理サーバは、識別情報と、測定対象である環境情報の種別とを対応付けて記憶する対象記憶部と、測定装置から識別情報を受信した場合に、識別情報と対応付けられる種別の環境情報の測定要求を測定装置に送信する要求部と、測定装置から受信した測定結果を第２の端末に提供する提供部とを有する。
【発明の効果】
【０００９】
一実施形態によれば、被保護者周辺の環境情報を提供することができる。
【図面の簡単な説明】
【００１０】
【図１】図１は、実施例に係る環境情報取得システムの一例を示す説明図である。
【図２】図２は、実施例に係る測定装置の一例を示す機能ブロック図である。
【図３】図３は、実施例に係る測定要求のデータ構造の一例を示す説明図である。
【図４】図４は、実施例に係る測定結果のデータ構造の一例を示す説明図である。
【図５】図５は、実施例に係る管理サーバの一例を示す機能ブロック図である。
【図６】図６は、実施例に係る被保護者ＤＢの一例を示す図である。
【図７】図７は、実施例に係る測定装置ＤＢの一例を示す図である。
【図８】図８は、実施例に係る保護者ＤＢの一例を示す図である。
【図９】図９は、実施例に係る結果通知のデータ構造の一例を示す説明図である。
【図１０】図１０は、実施例に係る環境情報取得に関するシーケンス図である。
【図１１】図１１は、実施例に係る測定装置の処理フローの一例を示す図である。
【図１２】図１２は、実施例に係る管理サーバの処理フローの一例を示す図である。
【図１３】図１３は、実施例に係る第二の測定要求のデータ構造の一例を示す説明図である。
【図１４】図１４は、実施例に係る第二の測定結果のデータ構造の一例を示す説明図である。
【図１５】図１５は、実施例に係る第二の結果通知のデータ構造の一例を示す説明図である。
【図１６】図１６は、実施例に係る測定装置のハードウェア構成の一例を示す図である。
【図１７】図１７は、実施例に係る管理サーバのハードウェア構成の一例を示す図である。
【発明を実施するための形態】
【００１１】
以下に、本願の開示する環境情報取得システム、測定装置、管理サーバ及び環境情報取得方法の実施例を図面に基づいて詳細に説明する。なお、この実施例によりこの発明が限定されるものではない。
【実施例１】
【００１２】
［全体構成］
図１は、実施例に係る環境情報取得システムの一例を示す説明図である。図１において、環境情報取得システムは、ビーコン機器１０と、測定装置２０と、管理サーバ３０と、保護者端末４０とを有する。なお、ここでは説明を簡略化するために、ビーコン機器１０と、測定装置２０と、管理サーバ３０と、保護者端末４０とが、それぞれ１台ずつである場合を例にして説明する。
【００１３】
ビーコン機器１０は、ビーコン信号を発信する端末の一例である。測定装置２０は、環境情報を測定する端末の一例である。管理サーバ３０は、測定結果を管理するサーバの一例である。保護者端末４０は、測定結果を取得する端末の一例である。
【００１４】
本実施例におけるビーコン機器１０は、子供や高齢者などの被保護者が所持し、定期的に、又は任意のタイミングで、無線信号を発信する機器の一例である。本実施例においては、無線信号の一例として、例えば被保護者ＩＤなど、被保護者を一意に識別する情報を含むビーコン信号を用いる。
【００１５】
ビーコン機器１０は、例えばBluetooth（登録商標）  LEのように、数メートル〜１０メートル程度の範囲内で通信可能な機器である。ビーコン機器１０は、携帯電話やスマートフォンなどの移動体端末と兼用のものでもよく、ビーコン信号を発信する機能のみを有する専用端末でもよい。
【００１６】
図１の例においては、ビーコン機器１０は、被保護者とともに、破線矢印のように移動する。通信エリア１０ａは、被保護者が破線矢印に沿って移動した後のビーコン機器１０が発信するビーコン信号の通信範囲を示す。
【００１７】
このような状態において、本実施例における測定装置２０は、第１の端末１０から、第１の端末１０を識別する識別情報を受信した場合に、管理サーバ３０に、識別情報を送信する通信部と、識別情報を受信した管理サーバ３０から、環境情報の測定要求を受信した場合に、測定要求によって指定される環境情報を測定して管理サーバ３０に送信する測定部とを有する。
【００１８】
また、本実施例における管理サーバ３０は、第１の端末１０を識別する識別情報と、測定対象である環境情報の種別とを対応付けて記憶する記憶部と、測定装置２０から識別情報を受信した場合に、識別情報と対応付けられる種別の環境情報の測定要求を測定装置２０に送信する要求部と、測定装置２０から受信した測定結果を第２の端末に提供する提供部とを有する。
【００１９】
つまり、被保護者のビーコン機器１０からビーコン信号を受信した測定装置２０が、管理サーバ３０から指示された被保護者周辺の環境データを測定して管理サーバ３０に送信する。環境データを受信した管理サーバ３０が保護者端末４０に当該環境データを提供することで、保護者に被保護者の環境情報を提供できる。
【００２０】
本実施例における保護者端末４０は、管理サーバ３０から任意の方法及びタイミングで測定結果の提供を受ける端末の一例である。保護者端末４０は、携帯型の端末及び据置型の端末のいずれでもよく、管理サーバ３０とはネットワークを経由して接続される。
【００２１】
［測定装置の構成］
次に、実施例における各動作主体の機能について説明する。図２は、実施例に係る測定装置の一例を示す機能ブロック図である。図２において、測定装置２０は、信号受信部２０１と、通信部２０２と、制御部２０３と、記憶部２０４と、操作部２１１と、表示部２１２とを有する。
【００２２】
信号受信部２０１は、ビーコン機器１０が発信するビーコン信号を受信し、ビーコン信号に含まれる被保護者ＩＤを制御部２０３に出力する処理部である。通信部２０２は、ネットワークを経由して、例えば管理サーバ３０と通信する処理部である。ネットワークとの通信は、例えばＬＴＥ（Long  Term  Evolution）等の移動体通信方式により実現されるが、一般電話回線等の有線接続により実現される場合もある。通信部２０２は、送信部の一例である。
【００２３】
記憶部２０４は、測定装置２０を一意に識別する測定装置ＩＤ等の情報を記憶する。操作部２１１は、測定装置２０の操作者から各種操作を受け付ける処理部である。操作部２１１は、例えば、入力デバイスとして、キーボードやボタン等によって実現される。操作部２１１は、操作者によって入力された操作を操作情報として制御部２０３に出力する。なお、操作部２１１は、入力デバイスとして、タッチパネル等によって実現されるようにしてもよく、表示部２１２の表示デバイスと、操作部２１１の入力デバイスとは、一体化されるようにしてもよい。
【００２４】
表示部２１２は、各種情報を表示する処理部である。表示部２１２は、例えば、表示デバイスとして液晶ディスプレイ等によって実現される。表示部２１２は、例えば結果取得部２２１が取得した測定値等の各種画面を表示する。  
【００２５】
次に、制御部２０３の各機能ブロックについて説明する。図２に示すように、制御部２０３は、結果取得部２２１と、情報生成部２２２と、状況取得部２２３とを有する。
【００２６】
結果取得部２２１は、情報生成部２２２から指示を受けて、測定装置２０が有する各種センサから測定値を取得し、情報生成部２２２に出力する処理部である。例えば、結果取得部２２１は、情報生成部２２２から「気温」の測定値を取得するよう指示を受けると、測定装置２０が有する温度計に測定を指示して測定値を取得し、情報生成部２２２に出力する。なお、本実施例においては、位置情報も環境情報の一つに含まれ、結果取得部２２１は、測定値として位置情報を取得する。
【００２７】
情報生成部２２２は、通信部２０２を通じて、管理サーバ３０にメッセージを送信する処理部である。具体的には、情報生成部２２２は、信号受信部２０１から被保護者ＩＤの入力を受け付けると、記憶部２０４から測定装置ＩＤを読み出し、管理サーバ３０に送信するメッセージを生成する。例えば、情報生成部２２２は、ビーコン機器１０から受信された被保護者ＩＤ「００００００」と、記憶部２０４から読み出した測定装置ＩＤ「２０００００」とを含むメッセージを生成し、管理サーバ３０に送信する。
【００２８】
また、情報生成部２２２は、通信部２０２を通じて管理サーバ３０から測定要求を受信すると、測定要求に応じた測定値の取得を結果取得部２２１に指示する。図３は、実施例に係る測定要求のデータ構造の一例を示す説明図である。図３において、被保護者ＩＤ及び測定装置ＩＤは、情報生成部２２２が管理サーバ３０に送信したメッセージに含まれるものと同一のものである。要求項目及び測定条件は、後述する管理サーバ３０における処理において特定された項目及び条件を含む。図３の例においては、要求項目が「ＰＭ２．５」と「気温」と「湿度」とを含み、さらに、「気温」及び「湿度」について、それぞれ測定条件を含む。
【００２９】
測定条件は、測定装置２０が環境情報を測定するための条件である。管理サーバ３０から受信した測定要求が測定条件を含んでいる場合、情報生成部２２２は、状況取得部２２３に、測定条件に関する情報の取得を指示し、取得した情報が測定条件を満たす場合に限り、測定値の取得を結果取得部２２１に指示する。状況取得部２２３の処理については後述する。一方、測定要求が測定条件を含んでいない場合、情報生成部２２２は、状況取得部２２３に情報の取得を指示することなく、測定値の取得を結果取得部２２１に指示する。
【００３０】
図３に示すように、測定装置２０は、「現在時刻が１１：００〜１６：００の間」に限り「気温」を測定し、「測定装置２０の電池残量が５０％以上」である場合に限り「湿度」を測定する。なお、測定条件を含まない場合は、「測定条件」の欄は「Ｎ／Ａ」とする。
【００３１】
図３の例においては、情報生成部２２２は、状況取得部２２３に対し、気温の測定条件について、現在時刻の取得を指示し、湿度の測定条件について、電池残量の取得を指示する。例えば、状況取得部２２３から取得した電池残量が「４０％」であった場合、湿度の測定条件を満たさないため、情報生成部２２２は湿度の測定を結果取得部２２１に指示しない。
【００３２】
さらに、情報生成部２２２は、結果取得部２２１から測定値の入力を受け付けると、当該測定値を含む測定結果を、通信部２０２を通じて管理サーバ３０に送信する。図４は、実施例に係る測定結果のデータ構造の一例を示す説明図である。図４に示すように、測定結果は、被保護者ＩＤと、測定装置ＩＤと、測定値を取得した測定日時と、各要求項目の測定値とを含む。図４において、被保護者ＩＤ及び測定装置ＩＤは、図３に示す測定要求に含まれるものと同一のものである。「要求項目３」の欄の「条件不適合」は、上で説明したように、測定装置２０において、湿度の測定条件が満たされなかったことを示す。なお、要求項目によって測定日時が異なる場合、要求項目ごとに測定日時を送信してもよい。結果取得部２２１、情報生成部２２２及び通信部２０２は、測定部の一例である。
【００３３】
状況取得部２２３は、情報生成部２２２から指示を受けて、現在時刻や電池残量などの測定条件に関する情報を取得し、情報生成部２２２に出力する処理部である。例えば、状況取得部２２３は、情報生成部２２２から測定条件に関する情報を取得するよう指示を受けると、測定装置２０が有する時計や電池残量計を参照して、現在時刻や電池残量などの測定条件に関する情報を取得し、情報生成部２２２に出力する。
【００３４】
［管理サーバの構成］
図５は、実施例に係る管理サーバの一例を示す機能ブロック図である。図５において、管理サーバ３０は、通信部３０１と、制御部３０２と、記憶部３０３と、操作部３０４と、表示部３０５とを有する。
【００３５】
通信部３０１は、ネットワークを経由して、測定装置２０及び保護者端末４０との間で通信を行う処理部である。  操作部３０４は、管理者等から各種操作を受け付ける処理部である。操作部３０４は、例えば、入力デバイスとして、キーボードやマウス等によって実現される。操作部３０４は、管理者によって入力された操作を操作情報として制御部３０２に出力する。なお、操作部３０４は、入力デバイスとして、タッチパネル等によって実現されるようにしてもよく、表示部３０５の表示デバイスと、操作部３０４の入力デバイスとは、一体化されるようにしてもよい。
【００３６】
表示部３０５は、各種情報を表示する処理部である。表示部３０５は、例えば、表示デバイスとして液晶ディスプレイ等によって実現される。表示部３０５は、例えば測定装置ＤＢ等の各種画面を表示する。
【００３７】
次に、記憶部３０３が記憶するＤＢについて説明する。記憶部３０３は、被保護者ＤＢ３２１と、測定装置ＤＢ３２２と、保護者ＤＢ３２３とを有する。なお、各ＤＢの内容は、後述する情報更新部３１５の処理により適宜更新される。
【００３８】
被保護者ＤＢ３２１は、保護者が監視対象とする被保護者の情報を記憶する。図６は、実施例に係る被保護者ＤＢの一例を示す図である。被保護者ＤＢ３２１は、「被保護者ＩＤ」、「被保護者名」、「属性」、「保護者ＩＤ」、「要求項目１」、「要求項目２」、「要求項目３」、「通知リクエスト」、「付与するポイント」を対応付けて記憶する。図６において、一つの行が、一人の被保護者に対応する。被保護者ＤＢ３２１は、対象記憶部の一例である。
【００３９】
「被保護者名」及び「属性」は、それぞれ被保護者ＩＤにより特定される被保護者の名前及び属性を示す情報である。「保護者ＩＤ」は、当該被保護者を監視する保護者を一意に識別する情報である。なお、被保護者ＩＤ「０００００１」と「０００００４」のように、一人の保護者が複数の被保護者の監視を求めるような構成であってもよい。
【００４０】
「要求項目１、要求項目２、要求項目３」は、被保護者について、どの測定値の取得が要求されているかを示す情報である。例えば、被保護者ＩＤが「００００００」の被保護者については、「ＰＭ２．５」と「気温」と「湿度」の３種類の測定値の取得が求められている。
【００４１】
「通知リクエスト」は、当該被保護者について環境情報の測定値を取得し、保護者に通知するか否かを示す情報である。例えば、通知リクエストが「有り」となっている場合は、測定値を取得して、保護者が指定する方法にて保護者に通知するが、「無し」の場合は測定装置２０に測定要求を送信せず、測定値の取得を行わない。
【００４２】
なお、被保護者ＤＢ３２１が、「通知リクエスト」の欄を含まない構成であってもよい。この場合、測定装置２０から被保護者ＩＤを受信した管理サーバは、測定装置２０に対して常に測定要求を送信する。
【００４３】
「付与するポイント」は、当該被保護者に関する環境情報の測定値を取得した際に、測定装置２０に対して付与されるポイントを示す。当該ポイントは、例えば、付与されたポイントに応じて測定装置２０の利用料が割引されたり、金銭を付与されたりするなど、測定装置２０の所有者にインセンティブを与えるために用いられる。ポイントを付与する処理については後述する。
【００４４】
次に、測定装置ＤＢ３２２について説明する。測定装置ＤＢ３２２は、環境情報を測定する測定装置の情報を記憶する。図７は、実施例に係る測定装置ＤＢの一例を示す図である。測定装置ＤＢ３２２は、「測定装置ＩＤ」、「上限測定回数」、「期間内の測定回数」、「ポイント」と、複数の環境情報とを対応付けて記憶する。なお、図７において、一つの行が、一つの測定装置に対応する。測定装置ＤＢ３２２は、装置記憶部の一例である。
【００４５】
図７の例においては、測定装置ＤＢ３２２は、環境情報として、「ＰＭ２．５」、「気温」、「湿度」、「気圧」、「現在位置・設置場所」を記憶する。なお、本実施例においては、位置情報も環境情報の一つに含まれ、測定結果を要求するか否かを特定できるものとする。また、図７に示す環境情報は一例に過ぎず、例えば花粉濃度など、測定装置２０において測定可能なその他の環境情報を含む構成であってもよい。
【００４６】
図７において、「上限測定回数」は、当該測定装置において、所定の期間内に測定可能な回数の上限である。例えば、測定装置ＩＤが「２００００３」である測定装置については、一日あたりの測定回数は「２回」となる。
【００４７】
図７において、「期間内の測定回数」の欄は、所定の期間内に、当該測定装置が測定値を管理サーバに何回送信したかを記憶する。「期間内の測定回数」の欄は、初期値として「０」を記憶しており、後述する処理によりインクリメントされる。なお、「期間内の測定回数」の数値は、例えば毎日０時などの所定のタイミングに「０」にリセットされる。例えば、測定装置ＩＤが「２００００３」である測定装置については、「２回」測定済みであることが登録されている。
【００４８】
図７において、「ポイント」の欄は、当該測定装置に付与されたポイントの累計を記憶する。図７における「ポイント」の欄は、後述するポイント演算部３１３の処理により更新される。
【００４９】
図７において、各環境情報の欄の「ＯＫ」は常時その環境情報の測定値の提供を許可することを示し、「ＮＧ」はその環境情報のセンサを装備しているが、測定値の提供を許可していないことを示す。また、「−」は測定装置が当該環境情報のセンサを装備していないことを示す。
【００５０】
なお、「ＯＫ（条件付き）」は測定装置２０の電池残量や時刻といった、測定装置２０の状況に応じてその提供を許可または不可とする設定である。例えば、測定装置ＩＤが「２０００００」の測定装置２０は、「現在時刻が１１：００〜１６：００の間」に限り「気温」の測定値を提供し、「測定装置２０の電池残量が５０％以上」である場合に限り「湿度」の測定値を提供する。
【００５１】
なお、例えば測定装置２０が据置型の端末である場合は、「現在位置・設置場所」の欄に、位置測定が可能であるか否か、又は位置情報を提供可能か否かに代えて、当該装置が据え置かれている場所の住所や建物名などを記憶してもよい。装置が据え置かれている場所の住所や建物名などを記憶する例を、図７の測定装置ＩＤ「２００００２」の「現在位置・設置場所」の欄に示す。
【００５２】
次に、保護者ＤＢ３２３について説明する。保護者ＤＢ３２３は、被保護者を監視する保護者の情報を記憶する。図８は、実施例に係る保護者ＤＢの一例を示す図である。保護者ＤＢ３２３は、「保護者ＩＤ」、「保護者名」、「通知タイミング」、「希望連絡方法」と、複数の連絡先とを対応付けて記憶する。図８の例では、連絡先として、メールアドレスと、電話番号と、Ｐｕｓｈ通信用端末ＩＤとを記憶する。なお、図８において、一つの行が、一人の保護者に対応する。
【００５３】
保護者ＤＢ３２３において、「保護者名」は、保護者ＩＤにより特定される保護者の名前を示す情報である。「通知タイミング」及び「希望連絡方法」は、当該保護者が測定結果の提供を希望するタイミング及び方法を示す情報である。
【００５４】
保護者ＤＢ３２３の「通知タイミング」の欄において、「随時」は、測定装置２０から測定結果を取得後直ちに、「指定時刻」は毎日保護者により指定された時刻に、「定期」は一定時間ごとに、それぞれ保護者に対して測定結果を提供することを示す。
【００５５】
次に、制御部３０２の各機能ブロックについて説明する。制御部３０２は、要求生成部３１１と、通知生成部３１２と、ポイント演算部３１３と、結果演算部３１４と、情報更新部３１５とを有する。
【００５６】
要求生成部３１１は、測定要求を生成し、通信部３０１を通じて測定装置２０に送信する処理部である。測定要求の一例は、図３に示したとおりである。要求生成部３１１は、被保護者ＤＢ３２１と測定装置ＤＢ３２２とを参照し、測定装置２０から受信した被保護者ＩＤ及び測定装置ＩＤに対応付けられた環境情報を抽出する。通信部３０１及び要求生成部３１１は、要求部の一例である。
【００５７】
例えば、測定装置２０から受信された被保護者ＩＤが「００００００」である場合、要求生成部３１１は、図６に例示する被保護者ＤＢ３２１の被保護者ＩＤが「００００００」の行を参照し、要求項目「ＰＭ２．５」と「気温」と「湿度」とを抽出する。
【００５８】
次に、要求生成部３１１は、図７に例示する測定装置ＤＢ３２２を参照し、測定装置ＩＤに対応付けられた環境情報を抽出する。例えば、要求生成部３１１は、測定装置２０から受信された測定装置ＩＤ「２０００００」に対応する要求項目「ＰＭ２．５」と「気温」と「湿度」と、要求項目に対応付けられる測定条件とを抽出する。なお、当該測定装置ＩＤには、「現在位置・設置場所」等のその他の要求項目も測定装置ＩＤ「２０００００」に対応するが、本実施例においては、測定装置２０から受信した被保護者ＩＤに対応する要求項目のみを抽出する。
【００５９】
なお、対象となる環境情報が存在しない場合や、被保護者ＤＢ３２１の「通知リクエスト」の欄が「無し」である場合に、要求生成部３１１が、測定装置２０に対して、「該当情報なし」を通知する構成であってもよい。また、図７の例における測定装置ＩＤが「２００００２」である測定装置のように、期間内の測定回数が上限測定回数に到達した場合、要求生成部３１１が、測定装置２０に対して、「測定回数超過」を通知する構成であってもよい。
【００６０】
通知生成部３１２は、保護者に提供する結果通知を生成し、通信部３０１を通じて保護者端末４０に提供する処理部である。通信部３０１及び通知生成部３１２は、提供部の一例である。
【００６１】
例えば、測定装置２０から、図４に示すような測定結果を受信した場合、通知生成部３１２は、被保護者ＤＢ３２１を参照して、被保護者ＩＤに対応付けられた被保護者名、属性、保護者ＩＤ、及び要求項目を読み出す。本実施例においては、被保護者ＩＤ「００００００」に対応する被保護者名「Ｊｏｈｎ」、保護者ＩＤ「１０００００」、要求項目１「ＰＭ２．５」、要求項目２「気温」及び要求項目３「湿度」を読み出す。また、通知生成部３１２は、保護者ＤＢ３２３を参照して、保護者ＩＤ「１０００００」に対応する保護者名「Ａｉｄｅｎ」を読み出す。
【００６２】
次に、通知生成部３１２は、被保護者ＤＢ３２１及び保護者ＤＢ３２３から読み出した情報を用いて、結果通知を生成する。図９は、実施例に係る結果通知のデータ構造の一例を示す説明図である。図９に示すように、結果通知は、保護者名、被保護者名、被保護者の属性、測定装置ＩＤ、測定日時と、当該保護者が要求する環境情報の測定値を含む。なお、測定値が「Ｎ／Ａ」となっているのは、当該環境情報について、測定値を取得できなかったことを示す。
【００６３】
次に、通知生成部３１２は、保護者ＤＢ３２３の「通知タイミング」の欄に記憶されたタイミングに、「希望連絡方法」の欄に記憶された方法により、通信部３０１を通じて保護者に通知する。本実施例において、図８に示す保護者ＤＢ３２３の保護者ＩＤ「１０００００」の列に示されるように、通知生成部３１２は、メールアドレス「ａａａ＠ａａａ.ａａ」に、測定結果を取得後直ちに、結果通知を送信する。
【００６４】
ポイント演算部３１３は、測定結果を取得した際に、被保護者ＤＢ３２１を参照して測定装置に付与するポイントを演算し、測定装置ＤＢ３２２に記録する処理部である。結果演算部３１４は、例えば複数の測定結果の平均値を算出したり、測定結果をグラフ化したりする加工処理を行う処理部である。各処理の詳細については後述する。
【００６５】
情報更新部３１５は、測定装置２０、保護者端末４０、又は管理サーバの操作部３０４から受けた指示に基づいて、被保護者ＤＢ３２１、測定装置ＤＢ３２２、及び保護者ＤＢ３２３が記憶する情報を更新する処理部である。情報更新部３１５は、新たな被保護者、測定装置及び保護者の情報を追加するほか、例えば、測定装置２０の利用者から、測定値の提供を許可するか否かの設定変更の指示を受けて、測定装置ＤＢ３２２を更新する。具体的には、情報更新部３１５は、測定装置ＤＢ３２２の各「要求項目」の欄を「ＯＫ」若しくは「ＮＧ」に更新し、又は「要求項目」の欄の「測定条件」を設定若しくは削除する。
【００６６】
［システムの動作］
次に、本実施例に係る環境情報取得システムにより、ビーコン機器１０からビーコン信号を受信した測定装置２０と、測定装置２０から測定結果を取得し、保護者端末４０に提供する管理サーバ３０とを連携する処理動作について説明する。図１０は、実施例に係る環境情報取得に関するシーケンス図である。ビーコン機器１０は、所有者とともに移動しながら、定期的に、又は任意のタイミングで、被保護者ＩＤを含むビーコン信号を送信する。ビーコン機器１０が移動した結果、通信範囲１０ａの範囲内に入った測定装置２０は、ビーコン機器１０からビーコン信号を受信する（ステップＳ１０１）。
【００６７】
測定装置２０は、被保護者ＩＤと、測定装置ＩＤとを含むメッセージを、管理サーバ３０に送信する（ステップＳ１０２）。測定装置２０からメッセージを受信した管理サーバ３０は、環境情報の測定要求を、測定装置２０に送信する（ステップＳ１０３）。測定装置２０は、環境情報を測定し、測定結果を管理サーバ３０に送信する（ステップＳ１０４）。測定結果を受信した管理サーバ３０は、保護者ＤＢ３２３に規定する通知タイミング及び希望連絡方法により、結果通知を保護者端末４０に提供する（ステップＳ１０５）。
【００６８】
［測定装置の処理］
次に、本実施例に係る環境情報取得システムにおける各動作主体の処理の流れについて説明する。図１１は、実施例に係る測定装置の処理フローの一例を示す図である。
【００６９】
信号受信部２０１は、ビーコン機器１０からビーコン信号を受信し、情報生成部２２２に出力する（ステップＳ４０１）。情報生成部２２２は、記憶部２０４から測定装置２０の測定装置ＩＤを読み出し、受信されたビーコン信号に含まれる被保護者ＩＤと当該測定装置ＩＤとを、通信部２０２を通じて管理サーバ３０に送信する（ステップＳ４０２）。
【００７０】
情報生成部２２２は、通信部２０２を通じて管理サーバ３０から測定要求を受信した場合（ステップＳ４０３：Ｙｅｓ）、受信した測定要求が、測定条件に合致しているかを判断する（ステップＳ４０４）。
【００７１】
例えば、図３に示すような測定要求を受信した場合について説明する。情報生成部２２２は、要求項目２の「気温」を測定する条件として、現在時刻が「１１：００〜１６：００」の間であると指定されているため、状況取得部２２３に現在時刻の取得を指示する。状況取得部２２３は、例えば時計から現在時刻を取得し、情報生成部２２２に提供する。
【００７２】
例えば、状況取得部２２３から取得した現在時刻が「２０１５／８／１６  １３：００：１２」である場合、要求項目２において設定されている測定条件を満たす（ステップＳ４０４：Ｙｅｓ）。この場合、情報生成部２２２は結果取得部２２１に「気温」の測定値の取得を指示する（ステップＳ４０５）。結果取得部２２１は、例えば温度計が測定した気温を取得し、情報生成部２２２に出力する。なお、図３に示す要求項目１の「ＰＭ２．５」のように、測定条件が規定されていない場合も同様とする。
【００７３】
一方、情報生成部２２２は、図３に示すように、要求項目３の「湿度」を測定する条件として、電池残量が「５０％以上」であると指定されているため、状況取得部２２３に電池残量の取得を指示する。状況取得部２２３は、例えば測定装置２０の電池残量計から電池残量を取得し、情報生成部２２２に提供する。
【００７４】
例えば状況取得部２２３から取得した電池残量が「４０％」である場合、要求項目３において設定されている測定条件を満たさないため、情報生成部２２２は結果取得部２２１に「湿度」の測定値の取得を指示しない（ステップＳ４０４：Ｎｏ）。なお、図３に示す一例のように、測定要求が複数の要求項目を含んでいる場合、情報生成部２２２は、全ての要求項目について、Ｓ４０４の処理を繰り返す。
【００７５】
次に、情報生成部２２２は、取得した測定結果を、管理サーバ３０に送信する（ステップＳ４０６）。送信する測定結果の一例は、図４に示したとおりである。本実施例においては、測定要求の要求項目のうち一部または全部について測定値を取得しなかった場合においても、測定値を取得していない旨の応答を管理サーバ３０に送信する。
【００７６】
なお、管理サーバ３０から測定要求を受信しない場合（ステップＳ４０３：Ｎｏ）、例えば管理サーバ３０から「該当情報なし」の通知を受信した場合は、管理サーバ３０に測定結果を送信せず、処理を終了する。
【００７７】
［管理サーバの処理］
次に、本実施例に係る管理サーバの処理の流れについて説明する。図１２は、実施例に係る管理サーバの処理フローの一例を示す図である。管理サーバ３０の要求生成部３１１は、測定装置２０から、被保護者ＩＤと測定装置ＩＤとを含むメッセージを、通信部３０１を通じて受信する（ステップＳ６０１）。
【００７８】
要求生成部３１１は、被保護者ＤＢ３２１を参照し、受信された被保護者ＩＤに対応する要求項目を取得する（ステップＳ６０２）。なお、受信された被保護者ＩＤが被保護者ＤＢ３２１に登録されていない場合（ステップＳ６０３：Ｎｏ）、要求生成部３１１は通信部３０１を通じて、測定装置２０に「該当データなし」を通知し、処理を終了する（ステップＳ６２１）。被保護者ＩＤに対応する要求項目が被保護者ＤＢ３２１に登録されていない場合も同様とする。
【００７９】
本実施例において、要求生成部３１１は、受信された被保護者ＩＤ「００００００」に対応する要求項目「ＰＭ２．５」と「気温」と「湿度」とを取得する（ステップＳ６０３：Ｙｅｓ）。
【００８０】
次に、要求生成部３１１は、測定装置ＤＢ３２２を参照し、取得した要求項目のうち、受信した測定装置ＩＤに対応付けられる要求項目を検索する（ステップＳ６０４）。なお、受信した測定装置ＩＤが測定装置ＤＢ３２１に登録されていない場合（ステップＳ６０５：Ｎｏ）、要求生成部３１１は通信部３０１を通じて、測定装置２０に「該当データなし」を通知し、処理を終了する（ステップＳ６２１）。測定装置ＩＤに対応する要求項目が測定装置ＤＢ３２１に登録されていない場合も同様とする。
【００８１】
本実施例において、要求生成部３１１は、取得した要求項目のうち、受信した測定装置ＩＤ「２０００００」に対応する要求項目「ＰＭ２．５」と「気温」と「湿度」とを取得する（ステップＳ６０５：Ｙｅｓ）。また、要求項目「気温」及び「湿度」に対応付けられる測定条件も併せて取得する。
【００８２】
次に、要求生成部３１１は、測定装置ＤＢ３２２を参照し、測定装置２０における測定回数が上限に達していないかを判定する（ステップＳ６０６）。測定装置２０における測定回数が上限に達していると判定した場合（ステップＳ６０６：Ｎｏ）、要求生成部３１１は通信部３０１を通じて、測定装置２０に「測定回数超過」を通知し、処理を終了する（ステップＳ６２２）。図７に示す測定装置ＤＢ３２２において、例えば測定装置ＩＤが「２００００３」の測定装置２０については、上限測定回数が「２回／１日」であり、期間内の測定回数が「２回」であるため、要求生成部３１１は、測定装置２０に「測定回数超過」を通知する。
【００８３】
測定装置２０における測定回数が上限に達していないと判定した場合（ステップＳ６０６：Ｙｅｓ）、要求生成部３１１は、例えば図３に示すような測定要求を生成して、通信部３０１を通じて測定装置２０に送信する（ステップＳ６０７）。
【００８４】
次に、通信部３０１は、測定装置２０から応答の受信を待つ。測定装置２０から測定結果を受信しない場合（ステップＳ６１１：Ｎｏ）、処理を終了する。なお、測定装置２０から受信した応答が測定結果を含まない場合、例えば全ての要求項目について測定条件を満たさなかった場合なども、同様に処理を終了するような構成であってもよい。
【００８５】
通信部３０１が測定装置２０から測定結果を受信すると（ステップＳ６１１：Ｙｅｓ）、通知生成部３１２は、測定装置ＤＢ３２２の「期間内の測定回数」を１インクリメントする（ステップＳ６１２）。なお、一部の要求項目について測定結果が得られなかった場合は「期間内の測定回数」をインクリメントしないような構成であってもよい。
【００８６】
次に、通知生成部３１２は、当該測定結果を受信した日時から所定の期間内に、当該被保護者について他の測定結果を受信したかを判断する。他の測定結果を受信していた場合（ステップＳ６１３：Ｙｅｓ）、結果演算部３１４は、当該複数の測定結果を読み出して平均値を算出し、または時系列的な変化をグラフ化するなどの演算を行う（ステップＳ６１４）。結果演算部３１４による処理については後述する。
【００８７】
他の測定結果を受信していない場合（ステップＳ６１３：Ｎｏ）、通知生成部３１２は、被保護者ＤＢ３２１と保護者ＤＢ３２３とを参照し、測定結果の通知先である保護者と、希望連絡方法、通知タイミングとを取得する（ステップＳ６１５）。次に、通知生成部３１２は、通信部３０１を通じて、保護者ＤＢ３２３から取得した通知タイミング及び方法にて、保護者端末４０に結果通知を提供する（ステップＳ６１６）。
【００８８】
次に、ポイント演算部３１３は、被保護者ＤＢ３２１を参照して測定装置２０に付与するポイントを算出し、測定装置ＤＢ３２２に記録する（ステップＳ６１７）。本実施例においては、図６に示すように、被保護者ＤＢ３２１は、被保護者ＩＤ「００００００」について測定結果を取得した場合に付与するポイントは「３０」であると記録する。このため、ポイント演算部３１３は、図７に示す測定装置ＤＢ３２２の測定装置ＩＤ「２０００００」の行において、「ポイント」の欄に「３０」を加算する。
【００８９】
なお、被保護者に対応付けられた要求項目が複数あり、そのうち一部の要求項目についてだけ測定装置２０から測定値を取得できた場合、「付与するポイント」の一部を減算して付与するような構成であってもよい。また、「付与するポイント」を被保護者ＤＢ３２１において予め定めるのではなく、測定値を取得する都度、ランダムに算出するような構成であってもよい。
【００９０】
次に、結果演算部３１４による処理について説明する。例えば、測定装置ＩＤ「２０００００」にビーコン信号を送信したビーコン機器１０の通信範囲内に測定装置ＩＤ「２００００２」の測定装置も入った場合、管理サーバ３０は当該測定装置からもメッセージを受信し、測定要求を送信する。図１３は、実施例に係る第二の測定要求のデータ構造の一例を示す説明図である。図７に示すように、測定装置ＩＤ「２００００２」の測定装置は、「ＰＭ２．５」のセンサを装備しておらず、また「湿度」の測定値の提供を許可していないため、図１３に示す第二の測定要求において、「要求項目１」と「要求項目３」の欄が「Ｎ／Ａ」となっている。なお、要求生成部３１１が、測定装置２０に対して測定を要求しない要求項目を除外し、要求項目を１つだけ含む測定要求を送信するような構成であってもよい。
【００９１】
測定要求を受信した測定装置は、管理サーバ３０に測定結果を送信する。図１４は、実施例に係る第二の測定結果のデータ構造の一例を示す説明図である。図１４に示す第二の測定結果は、「測定装置ＩＤ」の欄が「２００００２」となっている。また、「要求項目１」及び「要求項目３」の欄が「Ｎ／Ａ」となっているのは、「ＰＭ２．５」及び「湿度」の測定値を取得していないことを示す。
【００９２】
管理サーバ３０の結果演算部３１４は、通信部３０１を通じて第二の測定結果を受信すると、図４に示す測定結果と、図１４に示す第二の測定結果とを用いて演算処理を行い、処理結果を通知生成部３１２に出力する。本実施例においては、結果演算部３１４は、測定装置ＩＤ「２０００００」の測定装置から受信した気温「３０．８℃」と、測定装置ＩＤ「２００００２」の測定装置から受信した気温「２６．６℃」との平均値「２８．７℃」を算出する。
【００９３】
図１５は、実施例に係る第二の結果通知のデータ構造の一例を示す説明図である。図１５において、第二の結果通知の「保護者名」、「被保護者名」及び「被保護者の属性」の欄は、図９に示す結果通知と同様であるが、「測定装置ＩＤ」の欄は、「２０００００」と「２００００２」の２つの測定装置ＩＤを含む。「測定日時」の欄には、最初の測定装置が測定した日時から、最後の測定装置が測定した日時までが含まれる。また、「気温」の欄には、結果演算部３１４が算出した平均値を含む。括弧内の件数は、環境情報の測定値を受信した件数を示す。「湿度」の欄の「Ｎ／Ａ」は、湿度の測定値を１件も取得していないことを示す。なお、測定装置２０から取得した位置情報を地図上に表示したり、時系列的な変化をグラフ化したりして保護者端末４０に提供するような構成であってもよい。
【００９４】
以上の実施例によれば、被保護者のビーコン機器１０からビーコン信号を受信した測定装置２０、管理サーバ３０から指示された被保護者周辺の環境データを測定して管理サーバ３０に送信し、管理サーバ３０が保護者端末４０に測定値を提供する。これにより、保護者は被保護者に多種多様なセンサを搭載した大規模な装置を持たせることなく、被保護者の環境情報を取得できる。なお、ビーコン信号を発信する機能のみを有する専用端末は、小型で長時間駆動可能なものが多いため、測定装置や汎用端末を被保護者に持たせる場合と比べて被保護者の負担を軽減できる。
【実施例２】
【００９５】
さて、これまで本発明の実施例について説明したが、本発明は上述した各実施例以外にも、種々の異なる形態にて実施されてよいものである。例えば、図１１又は図１２に示す各処理は、上記の順番に限定されるものではなく、処理内容を矛盾させない範囲において、同時に実施してもよく、順序を入れ替えて実施してもよい。
【００９６】
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９７】
また、図示した各装置の各構成要素は機能概念的なものであり、必ずしも物理的に図示の如く構成されていることを要しない。すなわち、各装置の分散・統合の具体的形態は図示のものに限られない。つまり、その全部または一部を、各種の負荷や使用状況などに応じて、任意の単位で機能的または物理的に分散・統合して構成することができる。例えば、要求生成部３１１と通知生成部３１２を統合したり、管理サーバ３０に搭載されるソフトウェアを複数のコンピュータシステムに分散したりすることもできる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９８】
［測定回数の上限］
上述した実施例では、測定装置ＤＢ３２２が、測定装置２０が測定できる回数の上限を記憶するが、被保護者ＤＢ３２１が、被保護者ＩＤと「上限回数」を対応付けて記憶し、被保護者について上限回数を設定するような構成であってもよい。また、測定装置２０が測定できる回数の上限を設定しないような構成であってもよい。
【００９９】
［不要な通信の削減］
測定装置２０が、既に管理サーバ３０から「測定回数超過」の通知を受けた場合など、管理サーバ３０から測定要求を受信しないことが明らかである場合は、管理サーバ３０に被保護者ＩＤと測定装置ＩＤとを送信しないような構成であってもよい。
【０１００】
［測定条件の判定方法］
上述した実施例では、要求項目の測定条件を管理サーバ３０が測定装置２０に送信し、測定装置２０が測定条件を満たすか否かを判定しているが、測定条件の判定方法はこれに限らない。例えば、測定条件が現在時刻のように管理サーバ３０側で確認できるものである場合、管理サーバ３０側で測定条件を満たすかを判断し、満たさない場合は測定要求を送信しないような構成であってもよい。また、測定装置２０が管理サーバ３０にメッセージを送信する際に、電池残量など測定装置２０に固有の状況を合わせて送信し、メッセージを受信した管理サーバ３０が、測定装置ＤＢ３２２が記憶する測定条件を満たすか否かを判断するような構成であってもよい。
【０１０１】
［送受信する情報の一部省略］
例えば、測定装置２０から管理サーバ３０に送信されるメッセージが、測定装置ＩＤを含まないような構成であってもよく、測定要求が測定条件を含まないような構成であってもよい。
【０１０２】
［測定装置のハードウェア構成］
次に、図１６及び図１７を参照して、測定装置及び管理サーバのハードウェア構成について説明する。図１６は、実施例に係る測定装置のハードウェア構成の一例を示す図である。実施例に係る測定装置２０００は、図１６に示すように、ＲＦ回路２００１、アンテナ２００２、通信インターフェース２００３、プロセッサ２００４、記憶装置２００５、入力装置２００６、出力装置２００７、温度計２０１１、湿度計２０１２、ＧＰＳ２０１３、電池残量計２０２１及び時計２０２２を有する。ＲＦ回路２００１、通信インターフェース２００３、プロセッサ２００４、記憶装置２００５、入力装置２００６、出力装置２００７、温度計２０１１、湿度計２０１２、ＧＰＳ２０１３、電池残量計２０２１及び時計２０２２は、バス２００８で相互に接続される。また、アンテナ２００２は、ＲＦ回路２００１と接続されている。
【０１０３】
ＲＦ回路２００１は、アンテナ２００２を介してビーコン機器１０と通信を行う。例えば、ＲＦ回路２００１、プロセッサ２００４及び記憶装置２００５により、図２に示した信号受信部２０１の機能が実現される。
【０１０４】
通信インターフェース２００３は、ＬＡＮケーブルなどのケーブルを介し、又は無線接続を介して、ネットワークを経由して管理サーバと通信を行う。例えば、通信インターフェース２００３、プロセッサ２００４及び記憶装置２００５により、図２に示した通信部２０２の機能が実現される。
【０１０５】
また、プロセッサ２００４及び記憶装置２００５は、例えば、図２に示した、結果取得部２２１、情報生成部２２２及び状況取得部２２３などの機能を実現する。
【０１０６】
例えば、プロセッサ２００４は、記憶装置２００５に記憶されている各種プログラムを読み出して、記憶装置２００５上に各種機能を実現するプロセスを生成する。そして、プロセッサ２００４は、各部と共に、記憶装置２００５上に生成されたプロセスを実行することで、各種処理を行う。
【０１０７】
入力装置２００６は、タッチパネルやキーボードなどであり、出力装置２００７は、ディスプレイなどであり、通信インターフェース２００３は、ＮＩＣなどのインターフェースである。記憶装置２００５の例として、ＨＤＤ（Hard  Disk  Drive）のほか、ＲＯＭ（Read  Only  Memory）、ＲＡＭ（Random  Access  Memory）、ＣＤ−ＲＯＭ等の他のコンピュータ読み取り可能な記録装置としてもよい。
【０１０８】
温度計２０１１は、気温を測定するセンサであり、測定した気温をプロセッサ２００４に出力する。湿度計２０１２は、湿度を測定するセンサであり、測定した湿度をプロセッサ２００４に出力する。ＧＰＳ（Global  Positioning  System）は、位置情報を取得するセンサであり、取得した位置情報をプロセッサ２００４に出力する。電池残量計２０２１及び時計２０２２は、それぞれ測定装置２０００の電池残量及び現在時刻を取得し、プロセッサ２００４に出力する。このほか、測定装置が、例えば大気中の微小粒子状物質（ＰＭ２．５）の濃度や花粉濃度などのほかの環境情報を測定できる機器を有する場合もある。
【０１０９】
［管理サーバのハードウェア構成］
図１７は、実施例に係る管理サーバのハードウェア構成の一例を示す図である。図１７に示すように、コンピュータ３０００は、通信インターフェース３００１、プロセッサ３００２、記憶装置３００３、入力装置３００４及び出力装置３００５を有する。また、図１７に示した各部は、バス３００６で相互に接続される。
【０１１０】
入力装置３００４は、マウスやキーボードであり、出力装置３００５は、ディスプレイなどであり、通信インターフェース３００１は、ＮＩＣなどのインターフェースである。通信インターフェース３００１は、ネットワークを経由して、測定装置及び保護者端末と通信を行う。記憶装置３００３は、図６、図７及び図８に示す各ＤＢの情報を記憶する。記憶装置３００３の例として、ＨＤＤのほか、ＲＯＭ、ＲＡＭ、ＣＤ−ＲＯＭ等の他のコンピュータ読み取り可能な記録装置としてもよい。
【０１１１】
また、プロセッサ３００２及び記憶装置３００３は、例えば、図５に示した、要求生成部３１１、通知生成部３１２、ポイント演算部３１３、結果演算部３１４及び情報更新部３１５などの機能を実現する。
【０１１２】
例えば、プロセッサ３００２は、記憶装置３００３に記憶されている各種プログラムを読み出して、記憶装置３００３上に各種機能を実現するプロセスを生成する。そして、プロセッサ３００２は、各部と共に、記憶装置３００３上に生成されたプロセスを実行することで、各種処理を行う。
【０１１３】
以上の各実施例を含む実施形態に関し、さらに以下の付記を開示する。
【０１１４】
（付記１）環境情報を測定する測定装置と、前記測定装置から測定値を受信する管理サーバとを有する環境情報取得システムにおいて、
前記測定装置は、
第１の端末から、前記第１の端末を識別する識別情報を受信した場合に、前記管理サーバに前記識別情報を送信する送信部と、
前記識別情報を受信した前記管理サーバから、環境情報の測定要求を受信した場合に、前記環境情報を測定して前記管理サーバに送信する測定部とを有し、
前記管理サーバは、
前記識別情報と、測定対象である環境情報の種別とを対応付けて記憶する対象記憶部と、
前記測定装置から前記識別情報を受信した場合に、前記識別情報と対応付けられる前記種別の環境情報の測定要求を前記測定装置に送信する要求部と、
前記測定装置から受信した測定結果を第２の端末に提供する提供部と
を有することを特徴とする環境情報取得システム。
【０１１５】
（付記２）前記管理サーバが、
前記測定装置を識別する装置情報と、前記測定装置が測定する少なくとも１つの環境情報とを対応付けて記憶する装置記憶部をさらに有し、
前記測定装置の送信部は、前記識別情報とともに前記装置情報を送信し、
前記管理サーバの前記要求部は、前記識別情報に対応付けられる前記環境情報のうち、前記装置情報に対応付けられる環境情報の測定要求を前記測定装置に送信する
ことを特徴とする付記１に記載の環境情報取得システム。
【０１１６】
（付記３）前記管理サーバの前記提供部は、前記測定装置から測定結果を受信した受信回数を計数し、
前記管理サーバの前記送信部は、前記受信回数が所定値以下である場合に、前記測定要求を前記測定装置に送信する
ことを特徴とする付記２に記載の環境情報取得システム。
【０１１７】
（付記４）前記管理サーバの前記要求部は、前記環境情報を測定する際の測定条件を前記測定要求にさらに含めて送信し、
前記測定装置の前記測定部は、前記測定条件を満たす場合に、前記環境情報を測定して前記管理サーバに送信し、前記測定条件を満たさない場合に、前記環境情報が測定できないことを示す測定不可メッセージを前記管理サーバに送信することを特徴とする付記１に記載の環境情報取得システム。
【０１１８】
（付記５）前記管理サーバが、
前記測定装置から前記測定結果を受信した場合に、前記測定装置に付与するポイントを演算し、前記装置記憶部に記憶するポイント演算部をさらに有することを特徴とする付記２に記載の環境情報取得システム。
【０１１９】
（付記６）前記管理サーバの前記提供部が、前記識別情報と対応付けられるいずれかの環境情報の測定結果を複数の前記測定装置から受信した場合に、当該複数の測定装置から受信した測定結果の平均値を算出し、当該平均値を第２の端末に提供することを特徴とする付記１に記載の環境情報取得システム。
【０１２０】
（付記７）第１の端末から、前記第１の端末を識別する識別情報を受信した場合に、管理サーバに前記識別情報を送信する送信部と、
前記識別情報を受信した前記管理サーバから、環境情報の測定要求を受信した場合に、前記環境情報を測定して前記管理サーバに送信する測定部と
を有することを特徴とする測定装置。
【０１２１】
（付記８）第１の端末を識別する識別情報と、測定対象である環境情報の種別とを対応付けて記憶する対象記憶部と、
測定装置から前記識別情報を受信した場合に、前記識別情報と対応付けられる前記種別の環境情報の測定要求を前記測定装置に送信する要求部と、
前記測定装置から受信した測定結果を第２の端末に提供する提供部と
を有することを特徴とする管理サーバ。
【０１２２】
（付記９）第１の端末から、前記第１の端末を識別する識別情報を受信した場合に、管理サーバに前記識別情報を送信し、
前記識別情報を受信した前記管理サーバから、環境情報の測定要求を受信した場合に、前記環境情報を測定して前記管理サーバに送信する
処理を含むことを特徴とする方法。
【０１２３】
（付記１０）第１の端末の識別情報と、測定対象である環境情報の種別とを対応付けて記憶し、
測定装置から前記識別情報を受信した場合に、前記識別情報と対応付けられる前記種別の環境情報の測定要求を前記測定装置に送信し、
前記測定装置から受信した測定結果を第２の端末に提供する
処理を含むことを特徴とする方法。
【０１２４】
（付記１１）第１の端末から、前記第１の端末を識別する識別情報を受信した場合に、管理サーバに前記識別情報を送信し、
前記識別情報を受信した前記管理サーバから、環境情報の測定要求を受信した場合に、前記環境情報を測定して前記管理サーバに送信する
処理を測定装置に実行させることを特徴とするプログラム。
【０１２５】
（付記１２）第１の端末の識別情報と、測定対象である環境情報の種別とを対応付けて記憶し、
測定装置から前記識別情報を受信した場合に、前記識別情報と対応付けられる前記種別の環境情報の測定要求を前記測定装置に送信し、
前記測定装置から受信した測定結果を第２の端末に提供する
処理を管理サーバに実行させることを特徴とするプログラム。
【０１２６】
（付記１３）環境情報を測定する測定装置と、前記測定装置から測定値を受信する管理サーバとが実行する環境情報取得方法において
前記測定装置が、
第１の端末から、前記第１の端末を識別する識別情報を受信した場合に、前記管理サーバに前記識別情報を送信し、
前記識別情報を受信した前記管理サーバから、環境情報の測定要求を受信した場合に、前記環境情報を測定して前記管理サーバに送信する処理を含み、
前記管理サーバが、
前記識別情報と、測定対象である環境情報の種別とを対応付けて記憶し、
前記測定装置から前記識別情報を受信した場合に、前記識別情報と対応付けられる前記種別の環境情報の測定要求を前記測定装置に送信し、
前記測定装置から受信した測定結果を第２の端末に提供する処理を含む
ことを特徴とする環境情報取得方法。
【符号の説明】
【０１２７】
１０  ビーコン機器
２０  測定装置
３０  管理サーバ
４０  保護者端末
【図１】
0006520280.tif 000002
【図２】
0006520280.tif 000003
【図３】
0006520280.tif 000004
【図４】
0006520280.tif 000005
【図５】
0006520280.tif 000006
【図６】
0006520280.tif 000007
【図７】
0006520280.tif 000008
【図８】
0006520280.tif 000009
【図９】
0006520280.tif 000010
【図１０】
0006520280.tif 000011
【図１１】
0006520280.tif 000012
【図１２】
0006520280.tif 000013
【図１３】
0006520280.tif 000014
【図１４】
0006520280.tif 000015
【図１５】
0006520280.tif 000016
【図１６】
0006520280.tif 000017
【図１７】
0006520280.tif 000018